(57)【要約】【課題】歩行、走行の状態においては着地時の安定性向上かつスムーズな歩行を促すと共に、直立静止の状態においては立位安定性が図れる履物を提供する。【解決手段】ヒール５を備えた履物１において、ヒールの踵接地の後端９を、足の踵の踵骨最下点１０から鉛直に下ろした垂線１１とヒール接地面８との交点１２に位置させ、かつ該交点１２と第２指先端とを結ぶ足裏縦軸線１３にヒールの長手中心線１５を一致させてヒールを設けた。【選択図】図１
2005131065.tif 000002
【特許請求の範囲】
【請求項１】
ヒールを備えた履物において、ヒールの踵接地の後端を、足の踵の踵骨最下点から鉛直に下ろした垂線とヒール接地面との交点に位置させ、かつ該交点と第２指先端とを結ぶ足底縦軸線にヒールの長手中心線を一致させてヒールを設けたことを特徴とする履物。
【発明の詳細な説明】
【技術分野】
【０００１】
本発明は、ヒールを備えた履物に関するもので、特に走行、歩行の状態においてはヒール着地の安定かつスムーズな歩行を促すとともに、直立静止の状態では立位安定性を向上させた婦人靴に関するものである。
【背景技術】
【０００２】
まず、歩行のメカニズムについて説明する。正常な成人の歩行においては、足の長手方向に沿った内外側の２つの縦アーチ、即ち踵骨から第１中足骨の頭部へかけての内側アーチと踵骨から第５中足骨の頭部へかけての外側アーチと、足の短手方向への２つの横アーチ、即ち内側楔状骨から立方骨の先端にかけての第１アーチと、第１中足骨の頭部から第５中足骨の頭部にかけてボール部の第２アーチで体重負荷による着地衝撃圧を吸収しながら歩行するものである。また直立静止状態では、人間の体重負荷は骨格構造上主に踵骨、母趾球及び小趾球に分散され受け止められている。
【０００３】
そして、歩行工程において体重負荷は、まず踵部外側から内側にかけて回内しながら踵部裏面に負荷され、次に踵部裏面から足の長手方向における外踏まず部裏面に沿って前方へ向けて回外しながら移動され、第５指のボール部裏面、即ち第５中足骨と第５基節骨との関節部裏面で足を回外して強く地面を踏付けてから第１指のボールジョイント部裏面、即ち第１中足骨と第１基節骨との関節部裏面へとローリングしながら地面を踏み付けて移動され、次に第１基節骨と第１末節骨を反らせてピッチングさせながら第１末節骨(第１指)裏面で地面を把持して第１〜第５指、特に第１、２、３指で地面を蹴って前進する工程を繰り返しながら歩行するものと言われている。
【０００４】
一般に婦人靴に用いられるヒールは、踵部に対して後寄せにつけられたセット・バック・ヒールタイプからヒール前後を大きくくった古典的なルイ・ヒールタイプまで各種用いられるが、いずれも右足、左足用の差別なく兼用されているものが使用されており、生産性やファッション性を優先したものが多い。これら従来の履物は、上記歩行のメカニズムを考慮されずに設けられているため、踵着地が不安定で歩行には不向きで健康上望ましくなかった。またこれらの婦人靴のヒールは踵部の中心線に合わせ第３指に指向して配されていることから、体重負荷重心がそれに沿って自然と誘導され外股歩行がなされる傾向にあった。
【０００５】
また、ヒールを備えた靴に関して、従来長時間履いていても疲労が少ない体重支持の安定性に優れる目的として、特開平７−１５５２０４号公報により足の爪先部分から土踏まず部分に向かって延びる靴底接地部の後端を、足の踝部から鉛直方向に下ろした垂線よりも１cm乃至４cmだけ踵部寄りに位置させ、上記靴底接地部の後端からヒール部分の後端に向かって延びる靴底後部の下面の傾斜角を、靴の内底に形成された傾斜部の平均傾斜角度と同等もしくはそれ以下に設定した靴が提案されている。
【０００６】
しかしながら、このハイヒール靴は、ヒールの踵底接地部の位置が踵骨の最下点から鉛直に下ろした位置より前方に設定されることになり、このため歩行において足裏に突き上げなどの違和感が生じ、スムーズな歩行が得られない問題点が生じる。また静止状態では、踵部における体重負荷重心が踵接地後端より踵寄りに掛かることから、爪先が浮上して背面へ転倒するなど問題がある。
【０００７】
その他の従来の婦人靴に関して、特開２００２−８５１１０号公報によりヒール後部の接地面が斜めにカットされており、該ヒールカット面の前縁線が靴底中心線の垂線に対して２〜１０度外側方向へ傾斜している靴底であって、通勤や仕事の一場面としてヒール付き婦人靴を履いた女性が走らなければならない状況が発生しても、その場面でも不自然な力が足にかかることなく、足、筋肉の緊張を少なくし早足の走行ができるということが開示されている。しかしながら、この靴底もカット面の前縁線が靴底中心線の垂線に対して外側に傾斜する靴底であるから、爪先が開いた歩行、即ちO脚の歩行を促す傾向にあった。
【特許文献１】特開平７−１５５２０４号公報
【特許文献２】特開２００２−８５１１０号公報
【発明の開示】
【発明が解決しようとする課題】
【０００８】
解決しようとする問題点は、ヒールを備えた履物において、歩行、走行の状態ではヒール着地時の安定かつスムーズな歩行がなされず、また直立静止の状態では立位安定が図られていない点である。また従来の履物は、歩行者が無意識に誘導せられて外股歩行となり、正常歩行がなされない点である。
【課題を解決するための手段】
【０００９】
本発明は、ヒールを備えた履物において、ヒールの踵接地の後端を、足の踵の踵骨最下点から鉛直に下ろした垂線とヒール接地面との交点に位置させ、かつ該交点と第２指先端とを結ぶ足裏縦軸線にヒールの長手中心線を一致させてヒールを設けたことを特徴とする。
【発明の効果】
【００１０】
本発明の履物は、ヒールの接地部の後縁部を踵骨の最下点から鉛直に下ろした垂線とヒール接地面との交点に位置させ、該交点と第２指先端とを結ぶ足裏縦軸線にヒールの長手中心線を一致させてヒールを設けたことによって、歩行中での踵着地の状態では膝が伸びた状態で着地できるとともに靴底と地面とのなす角度が減少し、また直接踵骨の最下点に掛かる体重負荷を受け止めることができるので、着地安定性を向上させるとともにスムーズな歩行がなされるという利点がある。
【００１１】
また静止状態においても、踵骨の最下点から鉛直に下ろした垂線上にヒールの接地後縁部が一致するため、踵部に掛かる体重負荷をヒールの接地後縁部で確実に支持され、爪先が浮上することがなく安定性が図られるという利点がある。さらに、本発明の婦人靴は、体重負荷の重心がヒール着地点から第２指方向に沿って誘導せられて、足を真直ぐ踏み出すことができ無意識に外股歩行が防止され、正常歩行がなされる。
【発明を実施するための最良の形態】
【００１２】
本発明は、歩行及び静止状態で安定性の向上及び正常歩行させる目的を、ヒール高さに関係なくヒールの装着位置を設定するだけで、簡単に実現した。
【実施例１】
【００１３】
図１は、本発明の実施の形態１による履物を示した側面図である。図２は図１に示した履物の底面図である。また、１は履物、２は胛被、３は靴底、４は靴底本体、５はヒール、６はヒール本体、７は底部、８はヒール接地面、９は後縁、１０は踵骨の最下点、１１は垂線、１２は交点、１３は足裏縦軸線、１４は従来の踵中心線、１５はヒールの長手中心線、Ｌは足長、Ｌ１は踵後端からヒールの後縁までの距離である。
【００１４】
本発明の履物１は、図１に示すように胛被２と靴底３とから構成され、靴底３は靴底本体４とヒール５とから構成される。またヒール５は広い上面と狭い下面とその両面を連結する傾斜面で形成された形状からなり、ヒール本体６と底部７と構成される。ヒール本体６は硬質材料が用いられ、合成ゴムまたは革積み、合成樹脂、木、軽合金またはそれらを組み合わせたものが使用される。底部７は足に掛かる衝撃を吸収するためにヒール本体より硬度が低い材料が用いられる。
【００１５】
ヒール５はその踵接地部の後縁９を足の踵骨最下点１０から鉛直に下ろした垂線１１とヒール接地面８との交点１２に合わせて配置する。この場合、足の踵骨最下点１０は、調査の結果足裏からみて踵後端から足長(Ｌ)の１１％〜１５％の位置にあることが判った。よって、ヒール５は図２に示すようにその後縁９を足長(Ｌ)に対して１３％の位置、即ち踵までの長さ(Ｌ1)に設定することで交点１２に配置することができる。例えば、足長２３cmの場合、足の踵後端(履物踵内面)より２３cm×０．１３＝２．９９≒３cmの位置に設定する。
【００１６】
そして、ヒール５は該交点１２と第２指先端とを結ぶ足裏縦軸線１３にヒールの長手中心線１５を一致させて靴底本体４に装着する。この足裏縦軸線１３は従来の踵中心線１４より約７〜１４度(θ)内側に傾斜した位置に相当する。
【００１７】
ヒール５は、実施例ではヒール高さ５５ｍｍのハイヒールを使用したが、ミドルヒール、ローヒールでも上記通りに配設すれば同じ作用効果が得られるので、通常用いられるヒール高であれば使用可能である。また本発明のヒール５は靴底本体４を別に準備し接着成形したが、別の実施例として靴底本体４と天然ゴム、合成ゴム、熱可塑性樹脂などの成形材料で一体に成形しても良い。本発明の履物に使用するヒールの種類はフレンチヒール、コンチネンタルヒール、ウェッジヒールなどが用いられ特段側面の形状は問わない。
【００１８】
本発明の婦人靴は、上記ヒール構造からヒールの接地後縁９が体重負荷(Ｗ)の掛かる踵骨の最下点１０の垂線１１上で着地する歩行動作となり、これによって膝が伸びた状態での歩行がなされるため、踵接地時の靴底と地面とのなす角度が減少し、足へ無理な負担が掛からず、着地時の安定性向上及びスムーズな正常歩行が可能となった。また、本発明の履物は直立静止状態においても踵部に掛かる体重負荷がヒール接地後縁９で確実に支持されるので.立位安定性を向上させることができた。本発明の婦人靴を着用して官能試験を行った結果、５名中５名が歩行及び静止状態での安定性が良好との評価を得た。
【産業上の利用可能性】
【００１９】
本発明は婦人靴を実施例としてあげたが、紳士靴やウォーキングシューズなどの用途にも適用できる。
【図面の簡単な説明】
【００２０】
【図１】本発明の構造を示す履物の側面図である。
【図２】図1の底面図である。
【符号の説明】
【００２１】
１    履物
２    胛被
３    靴底
４    靴底本体
５    ヒール
６    ヒール本体
７    底部
８    ヒール接地面
９    後縁
１０  踵骨の最下点
１１  垂線
１２  交点
１３  足裏縦軸線
１４  従来の踵中心線
１５  ヒールの長手中心線
Ｌ    足長
Ｌ１  踵後端からヒールの後縁までの距離
【図１】
2005131065.tif 000003
【図２】
2005131065.tif 000004